(57)【要約】      （修正有）【課題】液状化粧料容器内の気密性を維持しつつ、塗布体の抜出時のシゴキが液状化粧料の接着固化により抜けないようにする。【解決手段】キャップ２内に固持される塗布体３の径大部３ｃにおいて凸周縁３ｄを突出して形成するとともに、シゴキ７を容器本体４の開口部５内において該キャップ２と接触しないように保持するので、キャップ２閉栓時には、径大部の凸周縁と開口部５の開口端５ａ、及び塗布体３の軸部３ａとシゴキ７とが密着して液状化粧料容器内の気密性を維持するとともに、シゴキ７においては液状化粧料による接着固化はなく、接着固化した液状化粧料は次回使用時のキャップ２と容器本体４の螺合を解くことで剪断され、シゴキ７は抜けることなく、キャップ２と容器本体４とを分離することができる。【選択図】図２
2018038554.tif 000002
【特許請求の範囲】
【請求項１】
キャップと容器本体から構成され、
該キャップは、先端方向内周面に雌ネジ部を螺設するとともに、軸部先端に塗布部を具える塗布体を有し、
該容器本体は、その内部に液状化粧料を収容し、外周面に前記キャップの雌ネジ部と螺合する雄ネジ部を螺設する開口部を一体に形成するとともに、該開口部内にシゴキを保持し、
該シゴキは、略円筒状の中胴部の一方に中央に有するシゴキ穴に向かって逆円錐形状又はすり鉢形状である薄肉状の漏斗部を形成するものであって、
キャップの閉栓時において、該キャップの内底部と容器本体の開口部の開口端とが密着するとともに、
該シゴキが容器本体の開口部内において該キャップと接触しないように保持される
ことを特徴とする液状化粧料容器。
【請求項２】
キャップの閉栓時において該キャップの内底部と容器本体の開口部の開口端とが密着するために、キャップの内底部において該開口部の開口端全周に渡って対応するように断面略半円形状の凸周縁を開口部の開口端方向に突出して形成する
ことを特徴とする請求項１記載の液状化粧料容器。
【請求項３】
キャップの閉栓時において該キャップの内底部と容器本体の開口部の開口端とが密着するために、キャップの内底部において該開口部内周面全周に渡ってその外周面が面接触する略円筒状の密着部を開口部の開口端方向に突出して形成する
ことを特徴とする請求項１記載の液状化粧料容器。
【発明の詳細な説明】
【技術分野】
【０００１】
本願発明は、マスカラ、アイライナー、液状口紅、リップグロス等の液状化粧料（以下、「液状化粧料」という。）を収容する液状化粧料容器に関する。
【背景技術】
【０００２】
通常、液状化粧料容器は、液状化粧料を収容する容器本体と、先端に塗布部を具える軸部の後端に形成する径大部を有する塗布体を該径大部を嵌合させて固持するキャップとから構成されている。
そして、該容器本体の開口部内には、塗布体の軸部及び塗布部の表面に付着した余分な液状化粧料を掻き落とし、しかも閉栓時の液状化粧料容器内の気密性を保持するためのシゴキを保持している。
【０００３】
ここで、上記液状化粧料容器の開口部内に保持されるシゴキは、軟質樹脂、エラストマー等からなり、容器本体の開口部の開口端に係止され、キャップの内底部と密着するフランジ部を一方に形成する円筒状の中胴部と、該中胴部の他方において塗布体の軸部や塗布部に密着して余分に付着した液状化粧料を掻き落とせるように、薄肉状であって、中央に有するシゴキ穴に向かってすり鉢形状にしてなる漏斗部とから構成されている（特許文献１参照）。
【０００４】
ところで、近年、特にマスカラでは、睫毛への密着性、カール効果、及び化粧持ちを向上させるために、マスカラの成分中に接着力の強い樹脂性原料を多く含むものが増えてきた。
そのため、使用後に塗布体を容器本体内に収納する際に、容器本体の開口部に保持されるシゴキのフランジ部に前記マスカラを付着させてしまうと、閉栓時には容器本体の開口部の開口端に係止されるシゴキのフランジ部とキャップの内底部とが気密性の維持を目的として密着するため、キャップの内底部とシゴキのフランジ部とは一体に接着固化してしまうものである。
そして、次回使用時に塗布体を容器本体から抜出するために、キャップと容器本体開口部との螺合を解くと、キャップと接着固化して一体となるシゴキには回転力と同時に、上方への引張力が加わり、キャップとともにシゴキが容器本体の開口部内より抜けてしまうことがある。
【０００５】
そこで、閉栓時に液状化粧料容器内の気密性を維持するとともに、開栓時に容器本体の開口部からシゴキが抜けないようにするために、容器本体の開口部と、シゴキの中胴部との嵌合をきつくすることも考えられるが、互いに嵌合する容器本体の開口部又はシゴキの中胴部に対して過度のストレスが加わり、該容器本体の開口部又はシゴキの中胴部のいずれか、或いは両方にクラックや割れ等が生じ易くなるので、容器本体及びシゴキのいずれにおいても厳密な部品の寸法管理が必要となる反面、容器本体の開口部とシゴキの中胴部との嵌合をきつくするにも限度があって、十分にシゴキの抜けを防ぐことができないものである。
【先行技術文献】
【特許文献】
【０００６】
【特許文献１】特表２０１４−５１０６０４号公報
【発明の概要】
【発明が解決しようとする課題】
【０００７】
そこで、閉栓時には液状化粧料容器内の気密性を確実に維持しつつ、開栓時には液状化粧料の接着固化によって容器本体の開口部内に保持されるシゴキが抜けないようにするものである。
【課題を解決するための手段】
【０００８】
第１の特徴として、
キャップと容器本体から構成され、
該キャップは、先端方向内周面に雌ネジ部を螺設するとともに、軸部先端に塗布部を具える塗布体を有し、
該容器本体は、その内部に液状化粧料を収容し、外周面に前記キャップの雌ネジ部と螺合する雄ネジ部を螺設する開口部を一体に形成するとともに、該開口部内にシゴキを保持し、
該シゴキは、略円筒状の中胴部の一方に中央に有するシゴキ穴に向かって逆円錐形状又はすり鉢形状である薄肉状の漏斗部を形成するものであって、
キャップの閉栓時において、該キャップの内底部と容器本体の開口部の開口端とが密着するとともに、
該シゴキが容器本体の開口部内において該キャップと接触しないように保持されるものである。
【０００９】
そのため、まずキャップの閉栓時には、該キャップの内底部と容器本体の開口部の開口端とが密着するとともに、シゴキと塗布体の軸部とが密着するので、液状化粧料容器内の気密性を維持することができるものとなる。
【００１０】
さらに、前回使用後に不用意に容器本体の開口部に液状化粧料を付着させたままキャップを閉栓してしまっても、シゴキは容器本体の開口部内においてキャップと接触しないように保持されるので、容器本体の開口部に付着した液状化粧料は、容器本体の開口部の開口端とキャップの内底部との間で接着固化し、該開口部内に保持されるシゴキには付着してもキャップ側と接着固化することはないものである。
その結果、次回使用時にキャップと容器本体の螺合を解く際に、キャップを強く回転させても、シゴキは容器本体の開口部から抜けることはなく、キャップの内底部と容器本体の開口部の開口端との間で接着固化している液状化粧料に対してキャップの強い回転が直接作用して剪断するので、キャップの内底部と容器本体の開口部の開口端とを簡易かつ確実に分離させることができるものとなる。
【００１１】
また、容器本体の開口部の開口端とキャップの内底部との間で接着固化している液状化粧料を剪断するためにキャップを強く回転させても、容器本体の開口部は一体に成形されているので破損を防止することもできるものである。
【００１２】
第１の特徴を踏まえて、第２の特徴として、
キャップの閉栓時において該キャップの内底部と容器本体の開口部の開口端とが密着するために、キャップの内底部において該開口部の開口端全周に渡って対応するように断面略半円形状の凸周縁を開口部の開口端方向に突出して形成するものである。
【００１３】
そのため、第１の特徴による作用効果とともに、前回使用後にキャップを容器本体の開口部に螺合させると、特にキャップの内底部において、該開口部の開口端全周に渡って対応するように突出して形成される断面略半円形状の凸周縁が該開口部の開口端に対して強力に、且つ均一に押し付けられながら当接するので、キャップの閉栓時における液状化粧料容器内の気密性をより確実に維持することができるものとなる。
【００１４】
第１の特徴を踏まえて、第３の特徴として、
キャップの閉栓時において該キャップの内底部と容器本体の開口部の開口端とが密着するために、キャップの内底部において該開口部内周面全周に渡ってその外周面が面接触する略円筒状の密着部を開口部の開口端方向に突出して形成するものである。
【００１５】
そのため、第１の特徴による作用効果とともに、前回使用後にキャップを容器本体の開口部に螺合させると、特にキャップの内底部において、突出して形成される略円筒状の密着部が開口部の開口端方向へ移動して該略円筒状の密着部の外周面と該開口部の内周面とが互いに面接触しつつ当接するので、キャップの閉栓時における液状化粧料容器内の気密性をより確実に維持することができるものとなる。
【００１６】
なお、キャップの閉栓時において液状化粧料容器内の気密性を維持するために容器本体の開口部の開口端に対して密着する断面略半円形状の凸周縁、又は容器本体の開口部内周面に面接触する略円筒状の密着部を突出するように形成するので、開口部も含めて容器本体を一体に製造して液状化粧料容器の製造コストの低減をも図ることができるものとなる。
【発明の効果】
【００１７】
本願発明は、キャップの閉栓時において、キャップの内底部と容器本体の開口部の開口端とが密着するとともに、シゴキと塗布体の軸部とが密着して液状化粧料内部の気密性を確実に維持できるとともに、例えばキャップの内底部と容器本体の開口部の開口端とが液状化粧料によって接着固化してしまっても、開口部内に保持されるシゴキはキャップ側と接着固化することはないので、次回使用時のキャップの開栓時においてキャップを強力に回転させても、開口部内からシゴキは抜けることなく留められ、接着固化した液状化粧料を簡易かつ確実に剪断してキャップと容器本体とを分離させることができる優れた効果を有するものである。
【図面の簡単な説明】
【００１８】
【図１】図１は、本願発明の実施例１である液状化粧料容器の全体縦断面図である。
【図２】図２は、本願発明の実施例１である液状化粧料容器を構成するキャップ及び容器本体の縦断面図である。
【図３】図３は、本願発明の実施例１である液状化粧料容器における容器本体の開口部の拡大分解縦断面図である。
【図４】図４は、本願発明の実施例１である液状化粧料容器における容器本体内への塗布体の挿入状態を示す要部拡大縦断面図である。
【図５】図５は、本願発明の実施例２である液状化粧料容器における容器本体の開口部の拡大分解縦断面図である。
【図６】図６は、本願発明の実施例２である液状化粧料容器における容器本体内への塗布体の挿入状態を示す要部拡大縦断面図である。
【発明を実施するための形態】
【００１９】
容器本体の開口部において、キャップの閉栓時にはキャップ内底部と容器本体の開口部の開口端との間で密着させるとともに、該キャップと接触しないようにシゴキを保持してなるものである。
【実施例１】
【００２０】
図１乃至図４において示すのは、本願発明の実施例１である液状化粧料容器１であり、該液状化粧料容器１は、キャップ２と容器本体４とから構成されている。
【００２１】
まず、該キャップ２は、先端方向内周面に雌ネジ部２ａを螺設するとともに、先端にブラシ状の塗布部３ｂを具える軸部３ａの後端に径大部３ｃを形成する塗布体３を、該径大部３ｃをキャップ２内に嵌合させて一体に固持するものである。このため、該径大部３ｃがキャップ２の内底部に相当するものとなる（以下、実施例１及び２において同じ。）。
【００２２】
そして、塗布体３の径大部３ｃには、容器本体４の開口部５の開口端５ａ全周に渡って対応するように断面略半円形状の凸周縁３ｄを開口部５の開口端５ａ方向に突出して形成するものである。
そのため、キャップ２の閉栓時には、キャップ２に固持される径大部３ｃにおいて該開口部５の開口端５ａ全周に渡って対応するように突出して形成される断面略半円形状の凸周縁３ｄが開口部５の開口端５ａに対して均一に押し付けられながら当接するので、キャップ２の閉栓時における液状化粧料容器１内の気密性をより確実に維持できるものとなる。
【００２３】
また、該容器本体４は、その内部に液状化粧料６を収容し、一体に形成され、外周面に前記キャップ２の雌ネジ部２ａと螺合する雄ネジ部５ｂを螺設し、内周面には後述するシゴキ７を係止する係止凹縁５ｃを周設する開口部５内において該シゴキ７を保持するものである。
【００２４】
なお、シゴキ７は、略円筒状の中胴部８の一方には容器本体４の開口部５の内周面に周設する係止凹縁５ｃに係止される係止フランジ８ａを周状に形成し、他方には中央に有するシゴキ穴８ｃに向かってすり鉢形状である薄肉状の漏斗部８ｂを形成するものである。
従って、本願発明の実施例１である液状化粧料容器１を構成する容器本体４の開口部５の内周面における係止凹縁５ｃに対してシゴキ７の中胴部８の外周面における係止フランジ８ａを係止することで、該開口部５内においてシゴキ７は該キャップ２と接触しないように保持されている。
【００２５】
そこで、液状化粧料容器１の容器本体４の開口部５と該開口部５内に保持されるシゴキ７とは以上のように構成しているので、キャップ２の開栓時又は閉栓時において、液状化粧料容器１は次のようになるものである。
【００２６】
まず、キャップ２の閉栓時には、該キャップ２内に固持された径大部３ｃにおいて、該開口部５の開口端５ａ全周に渡って対応するように開口部５の開口端５ａ方向に突出して形成される断面略半円形状の凸周縁３ｄが容器本体４の開口部５の開口端５ａと螺合時において発生する力によって強力に押し付けられながら当接するとともにシゴキ７と塗布体３の軸部３ａとが密着するので、液状化粧料容器１内の気密性をより確実に維持することができるものである。
【００２７】
そして、このときシゴキ７は容器本体４の開口部５内において該キャップ２とは接触しないように保持されているので、前回使用後に不用意に容器本体４の開口部５に液状化粧料６を付着させたままキャップ２を閉栓してしまっても、該液状化粧料６は容器本体４の開口部５の開口端５ａとキャップ２内に固持される径大部３ｃとの間で接着固化するだけであり、該開口部５内に保持されるシゴキ７に付着してもキャップ２とは接着固化しないものである。
その結果、次回使用時にキャップ２と容器本体４の螺合を解く際には、キャップ２を強く回転させてもシゴキ７はキャップ２側とは接着固化していないので容器本体４の開口部５内から抜けることはなく、容器本体４の開口部５の開口端５ａとキャップ２内に固持される径大部３ｃとの間で接着固化している液状化粧料６に対してキャップ２の強い回転を直接作用させて剪断するので、容器本体４の開口部５の開口端５ａとキャップ２内の固持されている径大部３ｃとを簡易かつ確実に分離させることができるものとなる。
【００２８】
従って、塗布体３を容器本体４から抜出する際には、容器本体４の開口部５内に留まって保持されているシゴキ７により塗布体３の軸部３ａ及び塗布部３ｂに付着する余分な液状化粧料６を適切に扱くことができるものである。
【実施例２】
【００２９】
図５及び図６において示すのは、本願発明の実施例２である液状化粧料容器（図示せず、以下本実施例で同じ。）であり、該液状化粧料容器は、実施例１と同様に、キャップ２’と容器本体４’とから構成され、該キャップ２’は、先端方向内周面に雌ネジ部２ａ’を螺設するとともに、先端にブラシ状の塗布部（図示せず、以下本実施例で同じ。）を具える軸部３ａ’の後端に径大部３ｃ’を形成する塗布体３’を、該径大部３ｃ’をキャップ２’内に嵌合させて一体に固持するものである。
【００３０】
そして、実施例２においては、キャップ２’に固持される塗布体３’の径大部３ｃ’には、開口部５’の内周面５ｄ’にその外周面３ｆ’が面接触してなる略円筒状の密着部３ｅ’を開口部５’の開口端５ａ’方向に突出して形成するものである。
そのため、キャップ２’の閉栓時には、キャップ２’内に固持される径大部３ｃ’において突出して形成される略円筒状の密着部３ｅ’の外周面３ｆ’と該開口部５’の内周面５ｄ’とが互いに面接触しつつ密着するので、キャップ２’の閉栓時における液状化粧料容器内の気密性をより確実に維持することができるものとなる。
【００３１】
また、該容器本体４は、実施例１と同様に、その内部に液状化粧料（図示せず、以下本実施例で同じ。）を収容し、一体に形成され、外周面に前記キャップ２’の雌ネジ部２ａ’と螺合する雄ネジ部５ｂ’を螺設し、内周面５ｄ’には後述するシゴキ７’を係止する係止凹縁５ｃ’を周設する開口部５’内において該シゴキ７’を保持するものである。
【００３２】
なお、シゴキ７’は、略円筒状の中胴部８’の一方には容器本体４の開口部５’の内周面に周設する係止凹縁５ｃ’に係止される係止フランジ８ａ’を周状に形成し、他方には中央に有するシゴキ穴８ｃ’に向かってすり鉢形状である薄肉状の漏斗部８ｂ’を形成するものである。
従って、本願発明の実施例２である液状化粧料容器を構成する容器本体４’の開口部５’の内周面５ｄ’の係止凹縁５ｃ’に対してシゴキ７’の中胴部８’の外周面の係止フランジ８ａ’を係止することで、実施例１と同様に、該開口部５’内においてシゴキ７’が該キャップ２’と接触しないように保持されている。
【００３３】
そこで、液状化粧料容器の容器本体４’の開口部５’と該開口部５’内に保持されるシゴキ７’とは以上のように構成しているので、キャップ２’の開栓時又は閉栓時において、液状化粧料容器は次のようになるものである。
【００３４】
まず、キャップ２’の閉栓時には、該キャップ２’の内底部に相当するキャップ２’に固持された径大部３ｃ’に突出して形成される略円筒状の密着部３ｅ’が開口部５’の開口端５ａ’方向への押勢されることで該略円筒状の密着部３ｅ’の外周面３ｆ’と該開口部５’の内周面５ｄ’とが互いに面接触しつつ密着するとともに、シゴキ７’と塗布体３’の軸部３ａ’とが密着するので、キャップ２’の閉栓時における液状化粧料容器内の気密性をより確実に維持することができるものとなる。
【００３５】
そして、シゴキ７’は容器本体４’の開口部５’内において該キャップ２’と接触しないように保持されているので、前回使用後に不用意に容器本体４’の開口部５’に液状化粧料を付着させたままキャップ２’を閉栓してしまっても、例えば液状化粧料は容器本体４’の開口部５’の開口端５ａ’とキャップ２’内に固持される径大部３ｃ’との間、又は密着部３ｅ’の外周面３ｆ’と開口部５’の内周面５ｄ’との間で接着固化するだけであり、該開口部５’の内周面５ｄ’内に保持されるシゴキ７’に付着してもキャップ２’側と接着固化しないものである。
その結果、次回使用時にキャップ２’と容器本体４’の螺合を解く際には、キャップ２’を強く回転させてもシゴキ７’はキャップ２’側とは接着固化していないので、容器本体４’の開口部５’内から抜けることはなく、例えば容器本体４’の開口部５’の開口端５ａ’とキャップ２’内に固持される径大部３ｃ’との間、又は密着部３ｅ’の外周面３ｆ’と開口部５’の内周面５ｄ’との間で接着固化している液状化粧料に対してキャップ２’の強い回転を直接作用させて剪断するので、容器本体４’の開口部５’の開口端５ａ’とキャップ２’内に固持される径大部３ｃ’との間、又は容器本体４’の開口部５’の内周面５ｄ’とキャップ２’内に固持される径大部３ｃ’の密着部３ｅ’の外周面３ｅ’とを簡易かつ確実に分離させることができるものとなる。
【００３６】
従って、塗布体３’を容器本体４’から抜出する際には、容器本体４’の開口部５’内に留まって保持されているシゴキ７’により塗布体３’の軸部３ａ’及び塗布部３ｂ’に付着する余分な液状化粧料を適切に扱くことができるものである。
【符号の説明】
【００３７】
１    液状化粧料容器
２、２’    キャップ
２ａ、２ａ’    雌ネジ部
３、３’    塗布体
３ａ、３ａ’    軸部
３ｂ    塗布部
３ｃ、３ｃ’    径大部
３ｄ    凸周縁
３ｅ’    密着部
３ｆ’    （密着部の）外周面
４、４’    容器本体
５、５’    開口部
５ａ、５ａ’    開口端
５ｂ、５ｂ’    雄ネジ部
５ｃ、５ｃ’    係止凹縁
５ｄ’    （開口部の）内周面
６    液状化粧料
７、７’    シゴキ
８、８’    中胴部
８ａ、８ａ’    係止フランジ
８ｂ、８ｂ’    漏斗部
８ｃ、８ｃ’    シゴキ穴
【図１】
2018038554.tif 000003
【図２】
2018038554.tif 000004
【図３】
2018038554.tif 000005
【図４】
2018038554.tif 000006
【図５】
2018038554.tif 000007
【図６】
2018038554.tif 000008